(57)【特許請求の範囲】
【請求項１】
紫外線照射槽内に配置された紫外線を透過する保護材と、該保護材内に設置された紫外線を照射する紫外線源と、該紫外線源に接続された紫外線源制御装置と、前記紫外線照射槽の両端のうち一端側に設けられた被処理水の流入流路と、前記紫外線照射槽の両端のうち他端側に設けられた第１の開閉弁を有する処理水の第１の流出流路と、前記紫外線槽の中央部に設けられた第２の開閉弁を有する処理水の第２の流出流路と、前記第１の開閉弁及び第２の開閉弁の開度を制御する弁制御装置を備えた紫外線水処理装置。
【請求項２】
一端に流入流路、他端に流出流路を有し、該流入流路から流入した被処理水が流通する紫外線照射槽と、前記被処理水に紫外線を照射する紫外線源と、前記被処理水と紫外線源の直接的な接触を妨げ且つ紫外線を透過する保護材と、前記流入流路と流出流路との間に設けられた紫外線照射槽から処理水を抽出する一つ以上の分岐流路とを備え、前記分岐流路から流出する被処理水への紫外線照射時間と前記流出流路から流出する被処理水への紫外線照射時間が異なる時間の紫外線照射を行う紫外線水処理装置。
【請求項３】
紫外線照射槽内に配置された紫外線を透過する保護材と、該保護材内に設置された紫外線を照射する紫外線源と、該紫外線源に接続された紫外線源制御装置と、前記紫外線槽の両端のうち一端側に設けられた被処理水の流入流路と、前記紫外線照射槽の両端のうち他端側に設けられた第１の開閉弁を有する処理水の第１の流出流路と、前記紫外線照射槽内の中央部に設けられ前記紫外線照射槽内と連通する流入口を具備する酸化剤を注入するための流路である酸化分解流路と、該酸化分解流路に接続された第２の開閉弁を有する処理水の第２の流出流路と、前記第１の開閉弁及び第２の開閉弁の開度を制御する弁制御装置を備えた紫外線水処理装置。
【請求項４】
前記酸化分解流路が紫外線透過材である請求項３に記載の紫外線水処理装置。
【請求項５】
オゾンあるいは過酸化水素を生成する酸化剤生成部と、前記酸化分解流路に接続された前記オゾンあるいは過酸化水素を注入する酸化剤注入流路とを設けた請求項３に記載の紫外線水処理装置。
【請求項６】
前記酸化分解流路内に光触媒を封入した請求項４又は５に記載の紫外線水処理装置。
【請求項７】
前記酸化分解流路が光触媒を保持した光触媒保持体で形成した請求項６に記載の紫外線水処理装置。
【発明の詳細な説明】
【技術分野】
【０００１】
本発明は、複数の異なる水質レベルを得られる紫外線水処理装置に関する。
【背景技術】
【０００２】
紫外線は、波長が１００〜４００ｎｍの範囲にある電磁波の一種である。大量の水を処理する必要がある上下水処理では、低コストの紫外線源として水銀ランプが用いられる。水銀ランプの紫外線を透過する石英ガラス管内には、水銀蒸気が封入されており、ランプ点灯時の石英ガラス管内の蒸気圧によって、生成波長が異なる。蒸気圧が１００Ｐａ以下のランプは、低圧水銀ランプと呼ばれ、波長が２５４ｎｍの単色紫外線を生成する。蒸気圧が５０〜３００ｋＰａのランプは中圧水銀ランプと呼ばれ、３６５ｎｍを主波長として波長が２００ｎｍ以下の紫外線から可視光線まで幅広く生成する。
【０００３】
上下水処理では、紫外線は、主に微生物の不活化および有機物の酸化分解に用いられる。微生物の不活化とは、微生物が増殖能力や感染能力などの活性を失った状態を言う。微生物のＤＮＡは、波長２６０ｎｍ付近に吸収のピークを示し、この付近の波長の紫外線を吸収すると、ＤＮＡ鎖中で隣接するチミンが二量体化し、ＤＮＡの複製が不可能になり、微生物は不活化する。
【０００４】
有機物の酸化分解では、有機物に紫外線だけを照射して分解する場合もあるが、主には紫外線と光触媒による光触媒反応や、紫外線とオゾンや過酸化水素水による促進酸化反応や、紫外線と光触媒とオゾンや過酸化水素水などの光触媒反応と促進酸化反応を組み合わせた反応を利用して分解する。
【０００５】
光触媒反応では、被処理水中に浸漬した酸化チタン等の光触媒に、波長が４００ｎｍ以下の紫外線或いは４００ｎｍ以上の可視光線を照射すると、水を分解してヒドロキシラジカルを生成する。ラジカルは強い酸化力を持ち、周囲の有機物を酸化，分解する。吸収できる最長波長は光触媒の種類に依存する。
【０００６】
促進酸化反応に用いるオゾンや過酸化水素はそれ自身が酸化力を持つため、被処理水中の有機物は酸化分解される。促進酸化反応では、添加したオゾンや過酸化水素を、紫外線により直接的或いは間接的に分解する。直接的に分解する場合、被処理水に波長３００ｎｍ以下の紫外線を照射する。この帯域の紫外線は、オゾンや過酸化水素を分解し、ヒドロキシラジカルを生成する。間接的に分解する場合には、被処理水に光触媒を混入する。光触媒は波長３００ｎｍ以下の紫外線のみならず、波長３００ｎｍ以上の紫外線と可視光線を吸収してヒドロキシラジカルを生成する。これはオゾンや過酸化水素を分解し、さらなるヒドロキシラジカルを生成する。ヒドロキシラジカルはオゾンや過酸化水素より強い酸化力を有するので、オゾンや過酸化水素を単独で用いる場合と比較して、有機物の酸化，分解が促進される。
【０００７】
微生物の不活化や有機物の酸化分解に低圧水銀ランプを用いる場合、生成する紫外線は、ＤＮＡやオゾンや過酸化酸素によく吸収される。そのため、不活化や促進酸化反応を高効率で行うことができ、水処理に必要な電力を低減できる。一方、中圧水銀ランプを用いる場合、不活化や促進酸化反応の効率では劣るが、単位ランプ体積あたりの紫外線出力量が大きく、水処理に必要なランプ本数を減らせるため、装置を小型化できる利点がある。
【０００８】
このような水処理装置として、［非特許文献１］，［特許文献１］，［特許文献２］に記載のものがある。
【０００９】
［非特許文献１］に記載の水処理装置は、微生物を不活化する装置で、円筒形状の槽に紫外線ランプを浸漬した構造である。［特許文献１］に記載の水処理装置は、有機物を酸化分解する装置で、円筒形状の槽に紫外線ランプを浸漬し、同槽内にオゾン気泡を注入している。［特許文献２］に記載の水処理装置は、内部に紫外線ランプが配設された処理タンク内に所要量の被処理液体を収納し、処理タンク内の底部側からオゾンと空気との混合気体を順次曝気させて供給して被処理液体を攪拌させながら接触させ、不純物を酸化還元、殺菌している。
【００１０】
いずれの装置も処理水の流出口は一つであり、紫外線源の照射強度や処理流量などを変化させて、処理水質を制御する。すなわち、一つの装置からは、一種類の水質の処理水のみを得ることができる。
【００１１】
【特許文献１】特開２００３−２６６０８８号公報
【特許文献２】特開２００４−３２９９８８号公報
【非特許文献１】財団法人水道技術研究センター、「環境影響低減化浄水技術開発研究（e-Water）ガイドライン集」、p.285(2005)
【発明の開示】
【発明が解決しようとする課題】
【００１２】
しかし、例えば下水処理場では下水放流水と再生水のように、要求水質が異なる処理が求められることがある。
【００１３】
再生水に対しては、微生物の不活化だけで良い場合と、それに加えて臭気物質や色度成分などの有機物の低減までも求められる場合がある。微生物の不活化だけで良い場合でも、再生水の基準は、下水放流水よりも基準が厳しい。例えば再生水は、大腸菌不検出／１００ｍＬであり、下水放流水は、大腸菌群３０００個／ｍＬである。
【００１４】
従って、再生水の基準で処理した水を下水に放流すると、放流先の水質は良好となる反面、下水放流水としては過剰処理であり、処理場の運転コストの増大となる問題がある。従来の技術を用いて水処理をより効率的にするためには、下水放流水用と再生水用の異なる複数の装置が必要となり、設置面積が大きくなり、コストも増大する問題があった。
【００１５】
また、有機物の低減まで求められる再生水に関しては、下水放流水との水質の差異がさらに大きい。これは、一般に、有機物を低減するためには、微生物を不活化するより多量の紫外線照射量が必要となるためである。有機物が低減するまで紫外線を照射した再生水では、微生物の不活化の基準を充分に達成できる。このように、有機物が低減する処理を施した再生水を下水に放流すると、放流先の水質はさらに良好となるが、下水放流水としては過剰処理であり、処理場の運転コストの増大する問題がある。この場合も、従来の技術を用いて水処理をより効率的にするためには、下水放流水用と再生水用の異なる複数の装置が必要となり、設置面積が大きくなり、コストも増大する問題があった。
【００１６】
本発明の目的は、複数の異なる水質レベルを得られる紫外線水処理装置を提供することにある。
【課題を解決するための手段】
【００１７】
上記目的を達成するために本発明の紫外線水処理装置は、流入流路と流出流路を有し、該流入流路から流入した被処理水が流通する紫外線照射槽と、前記被処理水に紫外線を照射する紫外線源と、前記被処理水と紫外線源の直接的な接触を妨げ且つ紫外線を透過する保護材と、前記流入流路と流出流路との間に設けられた紫外線照射槽から処理水を抽出する一つ以上の分岐流路とを備え、前記分岐流路と流出流路の間の紫外線照射槽内の被処理水に異なる時間の紫外線照射を行うものである。
【００１８】
又、前記分岐流路に連通する酸化分解流路を、前記紫外線照射槽の内部に備えたものである。又、オゾンあるいは過酸化水素を生成する酸化剤生成部と、前記酸化分解流路に接続される前記オゾンあるいは該過酸化水素を注入する酸化剤注入流路を備えたものである。
【発明の効果】
【００１９】
本発明によれば、紫外線照射槽に分岐流路を設置することで、一つの装置で複数の異なる水質レベルの処理水を得ることができる。したがって、複数の異なる水質レベルの処理水を得るために複数の装置を用いる場合と比較して、装置の設置面積を小さくできる。
【発明を実施するための最良の形態】
【００２０】
本発明の各実施例を図面により説明する。
【実施例１】
【００２１】
本発明の実施例１を図１から図４を用いて説明する。図１は、本実施例の紫外線水処理装置の縦断面図、図２は、図１の矢視Ａ−Ａ断面図である。又、図３は、本実施例の紫外線水処理装置の縦断面図、図４は、図３の矢視Ｂ−Ｂ断面図である。
【００２２】
図１，図２に示すように、円筒形状の紫外線照射槽１は、両端に平板が固定された密封構造となっており、平板の中央部間に石英で形成された円筒状の保護材である保護管３が取付けられている。保護管３内の軸方向には、紫外線源である紫外線ランプ２が設置され、紫外線ランプ２は配線により紫外線源制御装置であるランプ制御装置４と接続されている。
【００２３】
紫外線照射槽１には、流入流路５と、流出流路７と、分岐流路である流出流路６が設けられ、流出流路６は２個以上設けられている。流入流路５は、紫外線照射槽１の一端側に、流出流路６は、紫外線照射槽１の中央部に、流出流路７は、紫外線照射槽１の他方の端部に設けられている。流出流路７には、開閉弁１０が設けられている。流出流路６の各々には開閉弁９が設けられ、流出流路６は、流出流路８に合流している。開閉弁９，開閉弁１０は、弁制御装置１１と配線により接続され、弁制御装置１１により開閉制御される。
【００２４】
図１中の矢印は被処理水の流れ方向を示し、流入流路５からは被処理水１２が流入し、流入した被処理水１２は、紫外線照射槽１を通過する間に紫外線ランプ２により紫外線を照射されて処理水１３，処理水１４となり、流出流路８と流出流路７から処理水１３と処理水１４が紫外線照射槽１外へ流出する。処理水１３と処理水１４に照射された紫外線エネルギー量、すなわち紫外線照射量を比較すると、紫外線ランプ２の全長に沿って流れる処理水１４への紫外線照射量が、紫外線ランプ２の途中で流出流路６から流出する処理水１３への紫外線照射量より大きく、処理水１４でより多くの微生物が不活化されている。ここで、紫外線照射量は、紫外線照射量＝紫外線照射強度×照射時間である。
【００２５】
下水処理場において、下水放流水と再生水では要求される不活化レベルが異なるが、本実施例の紫外線水処理装置を適用することで、下水放流水である処理水１３と再生水である処理水１４の二つの処理水を、一つの装置でより効率的に生成できる。
【００２６】
処理水１３と処理水１４のそれぞれの流量と不活化レベルを制御するためには、ランプ制御装置４により紫外線ランプ２の照射強度を制御し、弁制御装置１１により、開閉弁９のそれぞれの弁開度と、開閉弁１０の弁開度を制御する。
【００２７】
本実施例では一本の紫外線ランプ２による紫外線水処理装置について説明したが、図３，図４に示すように複数本の紫外線ランプ１５を用いてもよい。図３，図４に示す赤外線水処理装置では、円筒形状の紫外線照射槽１は、両端に平板が固定された密封構造となっており、円筒形状の紫外線照射槽１内には、複数の円筒形状の保護管３が、その中心軸が紫外線照射槽１の中心軸と直交するように取付けられている。保護管３の各々には、紫外線ランプ１５が設置され、紫外線ランプ１５の各々は配線によりランプ制御装置４と接続されている。ランプ制御装置４は、各々の紫外線ランプを個別に制御できるようになっている。
【００２８】
この場合に処理水１３及び処理水１４の不活化レベルを制御するために、ランプ制御装置４により紫外線ランプ１５のそれぞれの照射強度を制御する、或いは紫外線ランプ１５のそれぞれの消灯，点灯時間を制御している。
【００２９】
図１から図４に示す紫外線水処理装置は、内照式の紫外線水処理装置を示したが、外照式の紫外線水処理装置としてもよい。
【実施例２】
【００３０】
本発明の実施例２を、図５により説明する。図５は紫外線水処理装置の縦断面図である。
【００３１】
本実施例は、図１に示す紫外線水処理装置と同様に構成されているが、本実施例の円筒形状の紫外線照射槽１は、両端に平板が固定された密封構造となっており、平板の中央部間に石英で形成された円筒状の保護材である保護管３が取付けられている。保護管３内には、紫外線ランプ２が設置され、紫外線ランプ２は配線によりランプ制御装置４と接続されている。本実施例の紫外線照射槽１は、中央部の外径の大きい外筒部３２と、外径の小さい内筒部３１で形成され、二重管構造となっており、外筒部３２と内筒部３１は紫外線を透過する紫外線透過壁３３によって区切られている。紫外線透過壁３３より外筒部３２側には酸化分解流路である空間３７が形成され、外筒流入口３４を介して外筒部３２と内筒部３１とは連通している。
【００３２】
内筒部３１の一方の端側には、流入流路５が設けられ、他方の端側には、開閉弁１０が取付けられた流出流路７が設けられている。外筒部３２の外筒流入口３４から遠い側には、開閉弁９が取付けられた複数の流出流路６が設けられ、外筒部３２の外筒流入口３４に近い側には、酸化剤注入流路３５が設けられ、酸化剤注入流路３５は、酸化剤注入装置３６に接続されている。
【００３３】
図５中の矢印は被処理水の流れ方向を示し、流入流路５からは被処理水１２が流入し、流入した被処理水１２は、紫外線照射槽１を通過する間に紫外線ランプ２により紫外線を照射されて微生物が不活化された処理水１４となり、一部が流出流路７から処理水１４として紫外線照射槽１外へ流出する。
【００３４】
一方、外筒流入口３４から外筒部３２に流入した被処理水は、中間処理水３７として処理され流出流路８から処理水１３として紫外線照射槽１外へ流出する。中間処理水３７には、オゾンや過酸化水素などの酸化剤が酸化剤注入装置３６により注入される。紫外線ランプ２より照射された紫外線は、被処理水１２と紫外線透過壁３３を透過して、酸化剤が混入した中間処理水３７を照射する。中間処理水３７中の酸化剤は、紫外線を吸収してハイドロキシラジカルを生成し、中間処理水３７中の有機物を酸化分解する。
【００３５】
このような処理により、微生物が不活化され、有機物が酸化分解された処理水１３と、微生物が不活化された処理水１４が得られる。下水処理場において、再生水は、下水放流水より高い不活化レベルが求められ、脱臭，脱色などの有機物の低減が求められる場合がある。本実施例の紫外線水処理装置を適用することで、下水放流水である処理水１４と再生水である処理水１３の二種類の処理水を一つの装置で生成でき、装置設置面積を低減できる。
【００３６】
処理水１３の流量と酸化分解レベル、処理水１４の流量と不活化レベルを制御するには、ランプ制御装置４により紫外線ランプ２の照射強度を制御する方法や、弁制御装置１１により、開閉弁９のそれぞれの弁開度と、開閉弁１０の弁開度を制御する方法がある。また、酸化剤注入装置３６により、中間処理水に注入する酸化剤の量を制御する。本実施例では一本の紫外線ランプ２による紫外線水処理装置について説明したが、実施例１の図３で示したように複数本の紫外線ランプを用いてもよい。その場合では、紫外線ランプ群のそれぞれの消灯，点灯により紫外線照射量を制御する方法がある。なお、本実施例は外照式の紫外線水処理装置にも適用できる。
【実施例３】
【００３７】
本発明の実施例３を、図６により説明する。図６は、本実施例の紫外線水処理装置の縦断面図である。
【００３８】
本実施例は、実施例２と同様に構成されているが、本実施例の紫外線水処理装置では、外筒部３２に光触媒３８を封入し、酸化剤注入流路３５と酸化剤注入装置３６を除去した構成となっている。
【００３９】
紫外線ランプ２により紫外線を照射された被処理水１２の一部は流出流路７へ流入し、残りは外筒流入口３４から外筒部３２へ中間処理水３７として流入する。流入した中間処理水３７は、光触媒３８と接触しながら流出流路８へ流入する。この際、紫外線が照射された光触媒３８は、ハイドロキシラジカルを生成し、中間処理水３７中の有機物を酸化分解する。
【００４０】
本実施例では、中圧水銀ランプを有効利用できる利点がある。中圧水銀ランプは、低圧水銀ランプと異なり、波長３００ｎｍ以下の紫外線に加えて、波長３００ｎｍ以上の紫外線と可視光線も生成する。波長３００ｎｍ以上の紫外線と可視光線は、微生物の不活化と酸化剤の分解に寄与しないため、実施例１及び実施例２では、中圧水銀ランプを用いても、３００ｎｍ以上の紫外線と可視光線を利用できない。しかし、光触媒は、波長３００ｎｍ以下の紫外線の他、波長３００ｎｍ以上の紫外線および可視光線を吸収してハイドロキシラジカルを生成するため、光触媒を用いることにより３００ｎｍ以上の紫外線と可視光線を有効利用できる。
【００４１】
又、中圧水銀ランプを用いることにより、波長３００ｎｍ以下の紫外線で微生物の不活化を行い、有機物の酸化分解には波長３００ｎｍ以上の紫外線と可視光線を利用して、波長領域を分担させて、波長特性を有効活用できる紫外線水処理装置を提供することができる。
【００４２】
図７は、紫外線と可視光線の下水二次処理水中における吸収率を表している。吸収率は、紫外線あるいは可視光線が試料水１cmを直進する際に試料水に吸収される百分率で表される。図７から分るように、下水の二次処理水中では、波長３００ｎｍ以上の紫外線と可視光線は、波長３００ｎｍ以下の紫外線と比較して吸収率が小さく、吸収されにくい。
【００４３】
したがって、二次処理水中に中圧水銀ランプからの紫外線と可視光線を照射すると、中圧水銀ランプから離れた遠方に波長３００ｎｍ以上の紫外線と可視光線が照射される領域ができる。光触媒３８封入した外筒部３２をこの領域に設置することで、波長３００ｎｍ以下の紫外線を、内筒部３１の被処理水１２中の微生物の不活化に利用し、波長３００ｎｍ以上の紫外線と可視光線を外筒部３２の中間処理水３７中の有機物の酸化分解に利用することができる。
【００４４】
なお、排水，浄水，河川水などの下水二次処理水以外の被処理水でも、図７に示す傾向と同じ傾向となるので、同様の装置構造にできる。
【００４５】
処理水１３の流量と酸化分解レベル、および処理水１４の流量と不活化レベルを制御するには、ランプ制御装置４により紫外線ランプ２の照射強度を制御する。また、弁制御装置１１により、開閉弁９のそれぞれの弁開度と、開閉弁１０の弁開度を制御する。本実施例では一本の紫外線ランプ２による紫外線水処理装置について説明したが、実施例１で示したように複数本の紫外線ランプを用いてもよい。その場合は、紫外線ランプ群のそれぞれの消灯，点灯により紫外線照射量を制御する。
【００４６】
図６は内照式の紫外線水処理装置を示しているが、本実施例は外照式の紫外線水処理装置にも適用可能である。
【実施例４】
【００４７】
本発明の実施例４を、図８により説明する。図８は、本実施例の紫外線水処理装置の縦断面図である。
【００４８】
本実施例は、実施例２と同様に構成されているが、本実施例の紫外線水処理装置では、外筒部３２に、光触媒３８を封入した構成となっている。
【００４９】
実施例２では、外筒部３２の中間処理水３７中に混入させた酸化剤に紫外線ランプ２により紫外線を照射して、酸化剤を分解し、ハイドロキシラジカルを生成させる際に、波長３００ｎｍ以下の紫外線が必要であるが、図７で示されるように、波長３００ｎｍ以下の紫外線は被処理水１２への吸収率が大きい。そのため、内筒部３１の直径を大きくできず、処理水１４の処理流量を大きく設定はできない。
【００５０】
実施例３では、外筒部３２に光触媒３８を封入しており、被処理水１２への吸収率が小さい波長３００ｎｍ以上の紫外線と可視光線も利用できるため、内筒部３１の直径を大きくできる。しかし、［非特許文献１］に記載のように、光触媒反応による有機物の酸化分解量は、促進酸化反応による酸化分解量より一般的に小さい。そのため、一定の酸化分解レベルを確保するためには、中間処理水３７の流速を小さくして、紫外線照射時間を長くする必要があり、処理水１３の流量を大きくは設定できない。
【００５１】
本実施例では、処理水１３と処理水１４の流量を大きく取るため、外筒部３２に封入した光触媒３８により生成するハイドロキシラジカルにより、酸化剤を分解し、さらにハイドロキシラジカルを生成させる。これにより、中圧水銀ランプにより生成する波長３００ｎｍ以上の紫外線と可視光線を酸化剤の分解に利用できる。したがって、内筒部３１の直径を大きくでき、処理水１４の処理流量を大きく設定できる。また、酸化剤の注入量を増やすことで、ハイドロキシラジカルの生成を促進できるため、処理水１３の処理流量を大きく設定できる。
【００５２】
処理水１３の流量と酸化分解レベル、及び処理水１４の流量と不活化レベルを制御するため、ランプ制御装置４により紫外線ランプ２の照射強度を制御する。また、弁制御装置１１により、開閉弁９のそれぞれの弁の開度と、開閉弁１０の開度を制御する。また、酸化剤注入装置３６により、中間処理水に注入する酸化剤の量を制御する。本実施例では、一本の紫外線ランプ２を設置した紫外線水処理装置について説明したが、実施例１で示したように、複数本の紫外線ランプを用いてもよい。その場合は、紫外線ランプ群のそれぞれの消灯，点灯により紫外線照射量を制御する。また、図８は、内照式の紫外線水処理装置を示したが、本実施例は外照式の紫外線水処理装置にも適用できる。
【実施例５】
【００５３】
本発明の実施例５を、図９，図１０を用いて説明する。図９は、本実施例の紫外線水処理装置の縦断面図、図１０は、図９の矢視Ｃ−Ｃ断面図である。
【００５４】
図９，図１０に示すように、円筒形状の紫外線照射槽１は、両端に平板が固定された密封構造となっており、平板の中央部間に石英で形成された円筒状の保護材である保護管３が取付けられている。保護管３内には、紫外線ランプ２が設置され、紫外線ランプ２は配線によりランプ制御装置４と接続されている。
【００５５】
紫外線照射槽１には、流入流路５と、流出流路７が設けられている。流入流路５は、紫外線照射槽１の一端側に、流出流路７は、紫外線照射槽１の他方の端部に設けられている。流出流路７には、開閉弁１０が設けられている。紫外線照射槽１の中央部には、少なくとも１つの酸化分解流路４１が設けられ、酸化分解流路４１は、流入口４２により紫外線照射槽１と連通している。酸化分解流路４１には、酸化剤を注入するための流路３５により酸化剤注入装置３６が接続され、開閉弁４３を有する流出流路８が接続されている。開閉弁９，開閉弁１０，開閉弁４３は、弁制御装置１１と配線により接続され、弁制御装置１１により開閉制御される。なお、酸化分解流路４１と開閉弁４３は、複数固設けてもよい。
【００５６】
本実施例の紫外線処理装置は、円筒形状の紫外線照射槽１に、酸化分解流路４１，流入口４２，流出流路８，開閉弁４３，流路３５，酸化剤注入装置３６を追加することにより、貫通孔を空ける簡易な追加工事により実現できる。
【００５７】
図９中の矢印は流れ方向を示し、流入流路５からは被処理水１２が紫外線照射槽１内に流入し、流出流路７から処理水１４として流出する。一方、流入口４２から酸化分解流路４１に流入した中間処理水３７は、流出流路８から処理水１３として流出する。
【００５８】
酸化分解流路４１を紫外線透過材で製作する場合は、酸化分解流路４１内の中間処理水３７に紫外線を照射でき、実施例１と同様に、下水放流水である処理水１３と再生水である処理水１４の二つの処理水を、一つの装置でより効率的に生成できる。
【００５９】
金網等の空隙を持つ部材に光触媒を焼結した光触媒保持体を酸化分解流路４１とすると、被処理水１２は焼結した光触媒の隙間から酸化分解流路内部に流入できる。酸化分解流路４１内部に光触媒３８を封入する場合は、酸化分解流路４１を紫外線透過材を用いなくとも、実施例３と同様に、中間処理水３７は、光触媒３８と接触しながら流出流路８へ流入する際、紫外線が照射された光触媒３８は、ハイドロキシラジカルを生成し、中間処理水３７中の有機物を酸化分解する。
【００６０】
酸化分解流路４１を紫外線透過材で製作し、酸化分解流路４１内部に光触媒３８を封入し、酸化剤を注入する場合は、実施例４と同様に、中間処理水３７中に混入させた酸化剤に紫外線ランプ２により紫外線を照射して、酸化剤を分解し、ハイドロキシラジカルを生成させ、酸化分解流路４１内部に封入した光触媒３８により生成するハイドロキシラジカルにより、酸化剤を分解し、さらにハイドロキシラジカルを生成させることができる。
【００６１】
紫外線ランプ群のそれぞれの消灯，点灯により紫外線照射量を制御する。また、図９は、内照式の紫外線水処理装置を示したが、本実施例は外照式の紫外線水処理装置にも適用できる。
【図面の簡単な説明】
【００６２】
【図１】本発明の実施例１である紫外線水処理装置の縦断面図。
【図２】図１の矢視Ａ−Ａ断面図。
【図３】本実施例の紫外線水処理装置の縦断面図。
【図４】図３の矢視Ｂ−Ｂ断面図。
【図５】本発明の実施例２である紫外線水処理装置の縦断面図。
【図６】本発明の実施例３である紫外線水処理装置の縦断面図。
【図７】下水二次処理水に対する紫外線と可視光線の吸収率を示す図。
【図８】本発明の実施例４である紫外線水処理装置の縦断面図。
【図９】本発明の実施例５である紫外線水処理装置の縦断面図。
【図１０】図９の矢視Ｃ−Ｃ断面図。
【符号の説明】
【００６３】
１  紫外線照射槽
２  紫外線ランプ
３  保護管
４  ランプ制御装置
５  流入流路
６，７，８  流出流路
９，１０，４３  開閉弁
１１  弁制御装置
１５  紫外線ランプ
３１  内筒部
３２  外筒部
３３  紫外線透過壁
３４  流入口
３５  流路
３６  酸化剤注入装置
３８  光触媒
４１  酸化分解流路
【図１】
0004815426.tif 000002
【図２】
0004815426.tif 000003
【図３】
0004815426.tif 000004
【図４】
0004815426.tif 000005
【図５】
0004815426.tif 000006
【図６】
0004815426.tif 000007
【図７】
0004815426.tif 000008
【図８】
0004815426.tif 000009
【図９】
0004815426.tif 000010
【図１０】
0004815426.tif 000011